(57)【特許請求の範囲】
【請求項１】
通信と非接触電力伝送とに共用されるアンテナと、前記通信を行う通信部と、前記アンテナと前記通信部との間に設けられた第１スイッチとを有する電子機器であって、
前記アンテナに接続されたインピーダンスを可変とするインピーダンス調整回路と、前記通信時と前記非接触電力伝送時とで前記第１スイッチの状態を前記アンテナと前記通信部との間を接続するオン状態と前記アンテナから前記通信部を切り離すオフ状態とに夫々制御するとともに前記インピーダンスを異ならせるよう前記インピーダンス調整回路を制御する制御回路とを備え、
前記インピーダンス調整回路は、２つの調整入力部と、２つの調整出力部と、前記調整入力部と前記調整出力部とをそれぞれ結ぶ２つのラインとを少なくとも有していると共に、前記２つのライン間に接続された並列コンデンサと、前記ライン上に設けられた直列コンデンサと、第２スイッチを有し且つ前記２つのライン間に接続された可変インピーダンス回路とを備えており、
前記制御回路は、前記通信時と前記非接触電力伝送時とで前記第２スイッチを切り替えて、前記可変インピーダンス回路により前記２つのライン間に付加される付加インピーダンスを変更する
電子機器。
【請求項２】
請求項１記載の電子機器であって、
前記可変インピーダンス回路は、一端を前記２つのラインの一方に接続された第１インピーダンスと、一端を前記２つのラインの他方に接続された第２インピーダンスとを更に備えており、
前記第２スイッチは、前記第１インピーダンスの他端と前記第２インピーダンスの他端との間に接続されている
電子機器。
【請求項３】
請求項２記載の電子機器であって、
前記第２スイッチは、固定電位を供給されるセンタータップを有すると共に前記センタータップに対して対称な回路構造を有するものである
電子機器。
【請求項４】
請求項３記載の電子機器であって、
前記第２スイッチは少なくとも２つのＮｃｈのＦＥＴを有しており、
前記２つのＦＥＴのゲートは前記制御回路に電気的に接続されており、
前記２つのＦＥＴのソースは互いに接続されており、
前記センタータップは、前記ソース間の接続点から引き出されており、グランドに接続されている
電子機器。
【請求項５】
請求項１乃至請求項４のいずれかに記載の電子機器であって、
前記インピーダンス調整回路は、追加インピーダンスを有する追加インピーダンス回路を更に備えており、
前記電子機器は、負荷の状態をモニタしてモニタ結果に応じて前記追加インピーダンス回路に対して前記２つのライン間に前記追加インピーダンスを追加させるモニタ回路を備えている
電子機器。
【請求項６】
請求項１乃至請求項５のいずれかに記載の電子機器であって、
前記アンテナに接続され前記通信を行う通信系回路と、負荷を有すると共に前記アンテナに接続され前記負荷に給電を行う給電系回路とを備えており、
前記インピーダンス調整回路は、前記給電系回路に含まれている
電子機器。
【請求項７】
請求項６記載の電子機器であって、
前記給電系回路は、整流入力部と整流出力部とを有する整流回路を備えており、
前記整流入力部は、前記インピーダンス調整回路の前記調整出力部に接続されており、
前記制御回路は、前記整流出力部と前記第２スイッチとに接続され、前記整流回路の出力レベルに基づいて前記第２スイッチを切り替える
電子機器。
【請求項８】
請求項７記載の電子機器であって、
前記整流回路は、単相ブリッジ整流回路である
電子機器。
【請求項９】
通信と非接触電力伝送とに共用されるアンテナと、前記通信を行う通信部と、前記アンテナと前記通信部との間に設けられた第１スイッチとを有するモジュールであって、
前記アンテナに接続されたインピーダンスを可変とするインピーダンス調整回路と、前記通信時と前記非接触電力伝送時とで前記第１スイッチの状態を前記アンテナと前記通信部との間を接続するオン状態と前記アンテナから前記通信部を切り離すオフ状態とに夫々制御するとともに前記インピーダンスを異ならせるよう前記インピーダンス調整回路を制御する制御回路とを備え、
前記インピーダンス調整回路は、２つの調整入力部と、２つの調整出力部と、前記調整入力部と前記調整出力部とをそれぞれ結ぶ２つのラインとを少なくとも有していると共に、前記２つのライン間に接続された並列コンデンサと、前記ライン上に設けられた直列コンデンサと、第２スイッチを有し且つ前記２つのライン間に接続された可変インピーダンス回路とを備えており、
前記制御回路は、前記通信時と前記非接触電力伝送時とで前記第２スイッチを切り替えて、前記可変インピーダンス回路により前記２つのライン間に付加される付加インピーダンスを変更する
モジュール。
【請求項１０】
請求項１乃至請求項８のいずれかに記載の電子機器と、前記電子機器に対して送電する回路と前記電子機器と通信する回路とを備える一次側機器とを備えるシステム。
【発明の詳細な説明】
【技術分野】
【０００１】
本発明は、通信と非接触電力伝送における受電とに共用するアンテナを備える電子機器やモジュールに関する。また、本発明は、その電子機器やモジュールを備えるシステムに関する。
【背景技術】
【０００２】
この種の電子機器を備えるシステムとしては例えば特許文献１に開示されたものがある。特許文献１における二次側機器において、一つのコイルからなるアンテナに対して無線通信部と電力受電部とがスイッチにより選択的に接続される。
【先行技術文献】
【特許文献】
【０００３】
【特許文献１】特開２０１０−１３０８３５号公報
【発明の概要】
【発明が解決しようとする課題】
【０００４】
本発明は、高い受信効率と高い受電効率を実現可能な電子機器やモジュールを提供することを目的とする。
【課題を解決するための手段】
【０００５】
本発明は、第１の電子機器として、
通信と非接触電力伝送とに共用されるアンテナと、前記アンテナに接続されたインピーダンスを可変とするインピーダンス調整回路と、前記通信時と前記非接触電力伝送時とで前記インピーダンスを異ならせるよう前記インピーダンス調整回路を制御する制御回路とを備える電子機器を提供する。
【０００６】
また、本発明は、第２の電子機器として、第１の電子機器であって、
前記インピーダンス調整回路は、２つの調整入力部と、２つの調整出力部と、前記調整入力部と前記調整出力部とをそれぞれ結ぶ２つのラインとを少なくとも有していると共に、前記２つのライン間に接続された並列コンデンサと、前記ライン上に設けられた直列コンデンサと、スイッチを有し且つ前記２つのライン間に接続された可変インピーダンス回路とを備えており、
前記制御回路は、前記通信時と前記非接触電力伝送時とで前記スイッチを切り替えて、前記可変インピーダンス回路により前記２つのライン間に付加される付加インピーダンスを変更する
電子機器を提供する。
【０００７】
また、本発明は、第３の電子機器として、第２の電子機器であって、
前記可変インピーダンス回路は、一端を前記２つのラインの一方に接続された第１インピーダンスと、一端を前記２つのラインの他方に接続された第２インピーダンスとを更に備えており、
前記スイッチは、前記第１インピーダンスの他端と前記第２インピーダンスの他端との間に接続されている
電子機器を提供する。
【０００８】
また、本発明は、第４の電子機器として、第３の電子機器であって、
前記スイッチは、固定電位を供給されるセンタータップを有すると共に前記センタータップに対して対称な回路構造を有するものである
電子機器を提供する。
【０００９】
また、本発明は、第５の電子機器として、第４の電子機器であって、
前記スイッチは少なくとも２つのＮｃｈのＦＥＴを有しており、
前記２つのＦＥＴのゲートは前記制御回路に電気的に接続されており、
前記２つのＦＥＴのソースは互いに接続されており、
前記センタータップは、前記ソース間の接続点から引き出されており、グランドに接続されている
電子機器を提供する。
【００１０】
また、本発明は、第６の電子機器として、第２乃至第５のいずれかの電子機器であって、
前記インピーダンス調整回路は、追加インピーダンスを有する追加インピーダンス回路を更に備えており、
前記電子機器は、前記負荷の状態をモニタしてモニタ結果に応じて前記追加インピーダンス回路に対して前記２つのライン間に前記追加インピーダンスを追加させるモニタ回路を備えている
電子機器を提供する。
【００１１】
また、本発明は、第７の電子機器として、第２乃至第６のいずれかの電子機器であって、
前記アンテナに接続され前記通信を行う通信系回路と、負荷を有すると共に前記アンテナに接続され前記負荷に給電を行う給電系回路とを備えており、
前記インピーダンス調整回路は、前記給電系回路に含まれている
電子機器を提供する。
【００１２】
また、本発明は、第８の電子機器として、第７の電子機器であって、
前記給電系回路は、整流入力部と整流出力部とを有する整流回路を備えており、
前記整流入力部は、前記インピーダンス調整回路の前記調整出力部に接続されており、
前記制御回路は、前記整流出力部と前記スイッチとに接続され、前記整流回路の出力レベルに基づいて前記スイッチを切り替える
電子機器を提供する。
【００１３】
また、本発明は、第９の電子機器として、第８の電子機器であって、
前記整流回路は、単相ブリッジ整流回路である
電子機器を提供する。
【００１４】
また、本発明は、通信と非接触電力伝送とに共用されるアンテナと、前記アンテナに接続されたインピーダンスを可変とするインピーダンス調整回路と、前記通信時と前記非接触電力伝送時とで前記インピーダンスを異ならせるよう前記インピーダンス調整回路を制御する制御回路とを備えるモジュールを提供する。
【００１５】
更に、本発明は、第１乃至第９のいずれかの電子機器と、前記電子機器に対して送電する回路と前記電子機器と通信する回路とを備える一次側機器とを備えるシステムを提供する。
【発明の効果】
【００１６】
本発明によれば、通信時か電力伝送時かによってその都度インピーダンスを変更することとしたため、通信時と電力伝送時の両方において最適なインピーダンス整合を図って高い受信効率と高い受電効率とを両立させることができる。
【図面の簡単な説明】
【００１７】
【図１】本発明の第１の実施の形態による一次側機器及び二次側機器（電子機器）を備えるシステムを概略的に示すブロック図である。
【図２】図１の二次側機器（電子機器）を概略的に示すブロック図である。
【図３】図２のインピーダンス調整回路の具体的構成を示す図である。
【図４】図３のインピーダンス調整回路の変形例を示す図である。
【図５】図３のインピーダンス調整回路の他の変形例を示す図である。
【図６】図３のインピーダンス調整回路の他の変形例を示す図である。
【図７】図３のインピーダンス調整回路の他の変形例を示す図である。
【図８】図３のインピーダンス調整回路の他の変形例を示す図である。
【図９】図８のインピーダンス調整回路の具体的構成を示す図である。
【図１０】図９の給電系回路に含まれる可変インピーダンス回路の変形例を示す図である。
【図１１】図２の二次側機器（電子機器）における整流回路及び平滑回路の具体的構成を示す図である。
【図１２】本発明の第２の実施の形態による二次側機器（電子機器）を概略的に示すブロック図である。
【図１３】図１２のインピーダンス調整回路の具体的構成を示す図である。
【発明を実施するための形態】
【００１８】
（第１の実施の形態）
図１を参照すると本発明の第１の実施の形態によるシステムは、一次側機器１０と、二次側機器（電子機器）２０とを備えている。
【００１９】
図１に示されるように、一次側機器１０は、概略、通信／送電回路１２と、アンテナ１４とを備えている。通信／送電回路１２は、通信と電力伝送とを任意に選択制御可能なものであり、通信時においてはアンテナ１４を介して二次側機器２０と通信する一方、電力伝送時においてはアンテナ１４を介して二次側機器２０に対して送電する。かかる通信／送電回路１２は、例えば、通信部及び通信用整合回路を有する通信系回路と、送電部及び送電用整合回路を有する送電系回路と、少なくとも通信部及び送電部を制御する制御部とを備えている。アンテナ１４は、一般的にはコイル（コイルアンテナ）で構成される。アンテナ１４を構成するコイルは、通信系回路と送電系回路とで別個に設けることとしても良いし（即ち、コイルは２つ以上であっても良いし）、共用することとしても良い（コイルは１つのみであっても良い）。
【００２０】
本実施の形態においては、電力伝送における電力波の周波数と通信における搬送波の周波数は１３．５６ＭＨｚ帯であり、互いに等しい。また、電力伝送時に送電される電力波の空中線電力は５Ｗ以上であり、通信時における空中線電力は１Ｗ以下である。即ち、電力伝送時に送電される電力波の空中線電力は、通信時における空中線電力よりも大きい。なお、電力伝送における搬送波周波数と通信における搬送波周波数とを異ならせることとしてもよいが、後述するように二次側機器２０において一つのアンテナを通信と電力伝送とで簡易な制御で効率的に共用させることを考えると、本実施の形態のように、両搬送波周波数を等しくすることが好ましい。
【００２１】
図１に示されるように、本実施の形態による二次側機器２０は、モジュール２２と、モジュール２２に接続される負荷２４とを備えている。ここで、本実施の形態による負荷２４は、具体的にはバッテリである。また、モジュール２２は、概略、一次側機器１０と通信する機能と、一次側機器１０から電力を受電して負荷２４に給電する（即ち、バッテリに充電する）機能とを有している。なお、本実施の形態においては、二次側機器２０の組立時においてコネクタ等を用いて負荷２４とモジュール２２とを接続する形態を想定しているが、本発明はこれに限定されるわけではない。例えば、モジュール２２の有する機能と同等の機能を実装した回路基板と負荷２４と直接的に接続して二次側機器２０を構成することとしても良い。
【００２２】
図２に示されるように、本実施の形態による二次側機器２０のモジュール２２は、コイル３２を有するアンテナ３０と、アンテナ３０及び負荷２４に接続された給電系回路４０と、アンテナ３０に接続された通信系回路６０とを備えている。即ち、給電系回路４０と通信系回路６０とは、アンテナ３０を共用している。
【００２３】
通信系回路６０は、アンテナ３０に接続された通信用整合回路６２と、通信用整合回路６２に接続されたスイッチ回路６４と、スイッチ回路６４を介して通信用整合回路６２に接続された通信部６６とを備えている。通信用整合回路６２は、アンテナ３０と通信部６６との間で整合をとるためのものである。スイッチ回路６４は、スイッチ制御信号（後述）に応じて、アンテナ３０と通信部６６との間を接続したり、分離したりするものである。通信部６６は、アンテナ３０を介して一次側機器１０と通信するためのものである。ここで、スイッチ回路６４は、後述するように、通信時（通信モード）にはオン状態となってアンテナ３０と通信部６６とを接続し、電力伝送時（電力伝送モード）にはオフ状態となって通信部６６をアンテナ３０から切り離すものである。このように、スイッチ回路６４を制御することにより、電力伝送時に通信部６６に大電力が供給されてしまうことを防ぐことができる。
【００２４】
給電系回路４０は、アンテナ３０に接続されたインピーダンス調整回路４２と、インピーダンス調整回路４２に接続された整流回路４４と、整流回路４４に接続された平滑回路４６と、平滑回路４６に接続された制御回路４８とを備えている。
【００２５】
本実施の形態によるインピーダンス調整回路４２は、図３に示されるように、２つの調整入力部４２INと、２つの調整出力部４２OUTと、調整入力部４２INと調整出力部４２OUTとをそれぞれ結ぶ２つのラインＬ１，Ｌ２とを少なくとも有していると共に、２つのラインＬ１，Ｌ２間に接続された並列コンデンサ１００と、ラインＬ１，Ｌ２上に夫々設けられた直列コンデンサ１０２，１０４と、スイッチ１１２及び付加インピーダンス１１４を有し且つ２つのラインＬ１，Ｌ２間に接続された可変インピーダンス回路１１０とを備えている。本実施の形態において、調整入力部４２INは、アンテナ３０のコイル３２の両端に接続され、調整出力部４２OUTは、整流回路４４に接続される。
【００２６】
詳しくは、図示されたインピーダンス調整回路４２においては、調整入力部４２INに最も近い位置に並列コンデンサ１００が設けられており、調整出力部４２OUTに最も近い位置に直列コンデンサ１０２，１０４が設けられており、並列コンデンサ１００と直列コンデンサ１０２，１０４とに挟まれるようにして可変インピーダンス回路１１０が設けられている。
【００２７】
かかる構成のインピーダンス調整回路４２において、制御回路４８の制御により可変インピーダンス回路１１０のスイッチ１１２がオンすると、ラインＬ１，Ｌ２間に付加インピーダンス１１４が付加される。即ち、本実施の形態によるインピーダンス調整回路４２は、スイッチ１１２の状態（オン・オフ）を切り替えることにより、インピーダンスを変更することができるものである。
【００２８】
なお、インピーダンス調整回路４２は、図３に示されるものには限られない。例えば、図４に示されるインピーダンス調整回路４２ａのように、調整入力部４２INに最も近い位置に可変インピーダンス回路１１０が設けられており、調整出力部４２OUTに最も近い位置に並列コンデンサ１００が設けられており、可変インピーダンス回路１１０と並列コンデンサ１００とに挟まれるようにして直列コンデンサ１０２，１０４が設けられていてもよい。また、図５に示されるインピーダンス調整回路４２ｂのように、調整入力部４２INに最も近い位置に直列コンデンサ１０２，１０４が設けられており、調整出力部４２OUTに最も近い位置に可変インピーダンス回路１１０が設けられており、直列コンデンサ１０２，１０４と可変インピーダンス回路１１０とに挟まれるようにして並列コンデンサ１００が設けられていてもよい。更には、図６に示されるインピーダンス調整回路４２ｂのように、調整入力部４２INに最も近い位置に並列コンデンサ１００が設けられており、調整出力部４２OUTに最も近い位置に可変インピーダンス回路１１０が設けられており、並列コンデンサ１００と可変インピーダンス回路１１０とに挟まれるようにして直列コンデンサ１０２，１０４が設けられていてもよい。
【００２９】
また、図７に示されるインピーダンス調整回路４２ｄのように、可変インピーダンス回路１１０ｄを複数のスイッチ１１２と複数の付加インピーダンス１１４とで構成することとしてもよい。図示された可変インピーダンス回路１１０ｄは、図３に示されるスイッチ１１２と付加インピーダンス１１４とからなる可変インピーダンス回路１１０を複数並列に接続してなるものである。この可変インピーダンス回路１１０ｄによると、スイッチ制御により付加するインピーダンスを細かく変化させることができる。なお、図７に示されるインピーダンス調整回路４２ｄは、図３に示されるインピーダンス調整回路４２の変形例であるが、図４乃至図６に示されるインピーダンス調整回路４２ａ，４２ｂ，４２ｃにおける可変インピーダンス回路１１０を複数のスイッチ１１２と複数の付加インピーダンス１１４からなる可変インピーダンス回路１１０ｄで置き換えても良い。
【００３０】
更に、図８に示されるインピーダンス調整回路４２ｅのように、可変インピーダンス回路１１０ｅに対して、固定電位を供給されるセンタータップＣＴを有するスイッチ１１２ｅを設け、そのスイッチ１１２ｅのセンタータップＣＴにより付加インピーダンスを２つに分けることとしてもよい。具体的には、可変インピーダンス回路１１０ｅは、第１インピーダンス１１６と第２インピーダンス１１８とスイッチ１１２ｅとを備えている。第１インピーダンス１１６の一端はラインＬ１に接続されており、第２インピーダンス１１８の一端はラインＬ２に接続されている。スイッチ１１２ｅは、第１インピーダンス１１６の他端と第２インピーダンス１１８の他端との間に接続されている。また、センタータップＣＴはグランドに接続されている。
【００３１】
図８に示されたスイッチ１１２ｅは、センタータップＣＴに対して対称な回路構造を有するものである。また、この例において、第１インピーダンス１１６と第２インピーダンス１１８とは互いに等しい。従って、図示された可変インピーダンス回路１１０ｅもまた、スイッチ１１２ｅのセンタータップＣＴに対して対称な回路構造を有している。
【００３２】
このようにセンタータップＣＴをスイッチ１１２ｅに設け、その電位を固定することとすると、スイッチ１１２ｅを安価な素子で構成することができ、且つ、その制御も簡易なものとすることができる。例えば、図９に示されるように、スイッチ１１２ｅを２つのＮｃｈのＦＥＴ１２２，１２４で構成することができる。図９に示されるスイッチ１１２ｅにおいて、ＦＥＴ１２２のゲートとＦＥＴ１２４のゲートとは互いに接続されていると共に制御回路４８に電気的に接続されている。一方、ＦＥＴ１２２のソースとＦＥＴ１２４のソースとは互いに接続されており、ソース間の接続点からセンタータップＣＴが引き出され、グランドに接続されている。また、ＦＥＴ１２２及びＦＥＴ１２４のゲートとグランドとの間には抵抗１２０が設けられており、従って、制御回路４８から所定の電流が流れてくると、抵抗１２０の両端に生じた電圧がＦＥＴ１２２及びＦＥＴ１２４に対してゲート−ソース間電圧Ｖｇｓとして印加され、スイッチ１１２ｅがオンされる。同様に、センタータップＣＴを電源に接続する（センタータップＣＴに電源電圧を供給する）と共に２つのＰｃｈのＦＥＴを用いてスイッチ１１２ｅを構成することとしてもよい。なお、図９に示されたスイッチ１１２ｅは、２つのＦＥＴ１２２，１２４を用いて構成されたものであるが、本発明はこれに限定されるわけではない。例えば、センタータップＣＴと第１インピーダンス１１６又は第２インピーダンス１１８との間に夫々複数のＦＥＴ１２２，１２４を並列に接続してスイッチ１１２ｅを構成することとしてもよい。ＦＥＴ１２２のゲートとＦＥＴ１２４のゲートとが制御回路４８に電気的に接続されている限り、ＦＥＴ１２２のゲートとＦＥＴ１２４のゲートとは互いに接続されていなくてもよい。更に、ＦＥＴ１２２のゲートやＦＥＴ１２４のゲートと制御回路４８との間の電気的な接続は、導電体によって物理的に繋ぐものには限られず、例えば、光アイソレーションや磁気結合、磁界結合のように所定の目的（ゲートの駆動）を達成できる接続であればよい。
【００３３】
図９に示される可変インピーダンス回路１１０ｅは、ＦＥＴ１２２，１２４を用いてスイッチ１１２ｅを構成していたが、本発明はこれに限定されるわけではない。例えば、ＦＥＴに代えて、図１０に示される可変インピーダンス回路１１０ｆのように、バイポーラトランジスタ１２２ｆ，１２４ｆを用いてスイッチ１１２ｆを構成することもできる。制御回路４８の制御によりスイッチ１１２ｆがオン状態にされるとき、図示されたバイポーラトランジスタ１２２ｆ，１２４ｆのベースには、２つの抵抗１２０ｆ，１２１にて分圧された電圧が供給される。なお、図示されたバイポーラトランジスタ１２２ｆ，１２４ｆはｎｐｎ型のものであるが、センタータップＣＴを電源に接続すると共にｐｎｐ型のバイポーラトランジスタを２つ用いてスイッチ１１２ｆを構成することとしてもよい。また、並列接続された複数のバイポーラトランジスタをセンタータップＣＴに対して対称となるように配置してスイッチ１１２ｆを構成することとしてもよい。更に、ＦＥＴやバイポーラトランジスタ以外の半導体スイッチを用いて可変インピーダンス回路におけるスイッチを構成することとしてもよい。
【００３４】
図１１を参照すると、本実施の形態による整流回路４４は、全波整流回路である。詳しくは、整流回路４４は、４つのダイオードを用いて構成された単相ブリッジ整流回路であり、２つの整流入力部４４INと整流出力部４４OUTとグランド端子とを有している。整流入力部４４INはインピーダンス調整回路４２の調整出力部４２OUTに夫々接続されている。また、整流出力部４４OUTは、コンデンサからなる平滑回路４６と制御回路４８と負荷２４に接続されている。平滑回路４６は、整流回路４４の出力（整流信号）を平滑化して、負荷２４に供給する。即ち、負荷２４がバッテリの場合、平滑化された整流信号により充電され、負荷２４が何らかの回路等であった場合には、平滑化された整流信号により駆動される。
【００３５】
整流回路４４の出力（より具体的には、平滑化された整流信号）のレベルは、アンテナ３０にて受電した電力のレベルに対応している。本実施の形態においては、電力伝送時に一次側機器１０から二次側機器２０に対して送電される電力波の空中線電力は、通信時における空中線電力よりも大きく設定されていることから、整流回路４４の出力のレベルも電力伝送時と通信時とで異なっている。
【００３６】
本実施の形態による制御回路４８は、整流回路４４の出力のレベルに応じて、通信時（通信モード）又は電力伝送時（電力伝送モード）に応じた制御を行う。具体的には、制御回路４８は、通信モードにおいて、スイッチ回路６４をオン状態とするようなスイッチ制御信号をスイッチ回路６４に対して送る一方、可変インピーダンス回路１１０のスイッチ１１２をオフ状態としてラインＬ１，Ｌ２から付加インピーダンス１１４を切り離す。また、制御回路４８は、電力伝送モードにおいて、スイッチ回路６４をオン状態とするようなスイッチ制御信号をスイッチ回路６４に対して送る一方、可変インピーダンス回路１１０のスイッチ１１２をオン状態にしてラインＬ１，Ｌ２間に付加インピーダンス１１４を付加する。このように、本実施の形態においては、受電した電力のレベルに基づいて通信モード／電力伝送モードに適切した制御をスイッチ回路６４の制御とインピーダンス調整回路４２に対して行うことができる。特に、アンテナ３０から負荷２４側を見た場合のインピーダンスは、通信モード／電力伝送モードで夫々別個に調整可能となることから、電力伝送モードでは負荷２４への給電効率を高めることができ、通信モードでは通信距離や通信感度などの向上を図ることができる。
【００３７】
（第２の実施の形態）
図２及び図１２を参照すると、本発明の第２の実施の形態による二次側機器（電子機器）２０ｇは、上述した第１の実施の形態による二次側機器２０の変形例である。従って、図１２において、図２に示される構成要素と同様の構成要素には、図２と同じ参照符号を用いることとし、それらについての説明は省略することとする。以下においては、主として、上述した第１の実施の形態と相違する点について説明する。
【００３８】
図１２に示されるように、本実施の形態による二次側機器２０ｇのモジュール２２ｇは、負荷（バッテリ）２４の状態（バッテリのレベル）をモニタするモニタ回路７０を備えている。また、モジュール２２ｇの給電系回路４０に含まれるインピーダンス調整回路４２ｇは、図１３に示されるように、モニタ回路７０により制御可能な追加インピーダンス回路１３０を更に備えている。追加インピーダンス回路１３０は、詳しくは、モニタ回路７０により状態の切り替え可能なスイッチ１３２と、スイッチ１３２に接続された追加インピーダンス１３４とを有しており、モニタ回路７０の制御によりラインＬ１，Ｌ２間に追加インピーダンス１３４を追加することができる。
【００３９】
かかる構成とすると、負荷２４の変動によりインピーダンスの調整が必要となった場合にも柔軟に対応することができる。
【００４０】
上述した実施の形態において、インピーダンス調整回路は、給電系回路４０に含まれていたが、本発明はこれに限定されるものではない。例えば、インピーダンス調整回路は通信系回路６０に含まれていてもよい。
【００４１】
また、上述した実施の形態において、制御回路４８は、受電した電力レベル（整流回路４４の出力レベル）に基づいて通信モード／電力伝送モードの夫々に対応した制御を行っていたが、本発明はこれに限定されるものではない。例えば、制御回路は、一次側機器１０との通信から通信モード／電力伝送モードのいずれをとるべきかを判断するプロセッサユニットのようなものであってもよい。
【符号の説明】
【００４２】
１０        一次側機器
１２        通信／送電回路
１４        アンテナ
２０        二次側機器（電子機器）
２２        モジュール
２４        負荷
３０        アンテナ
３２        コイル
４０        給電系回路
４２，４２ａ，４２ｂ，４２ｃ，４２ｄ，４２ｅ，４２ｇ  インピーダンス調整回路
４２IN      調整入力部
４２OUT      調整出力部
４４        整流回路
４４IN      整流入力部
４４OUT      整流出力部
Ｌ１，Ｌ２        ライン
４６        平滑回路
４８        制御回路
６０        通信系回路
６２        通信用整合回路
６４        スイッチ回路
６６        通信部
７０        モニタ回路
１００        並列コンデンサ
１０２，１０４        直列コンデンサ
１１０，１１０ｄ，１１０ｅ        可変インピーダンス回路
１１２，１１２ｅ，１１２ｆ        スイッチ
ＣＴ        センタータップ
１１４        付加インピーダンス
１１６        第１インピーダンス
１１８        第２インピーダンス
１２０，１２０ｆ，１２１        抵抗
１２２，１２４        ＦＥＴ
１２２ｆ，１２４ｆ        バイポーラトランジスタ
１３０        追加インピーダンス回路
１３２        スイッチ
１３４        追加インピーダンス
【図１】
0006045150.tif 000002
【図２】
0006045150.tif 000003
【図３】
0006045150.tif 000004
【図４】
0006045150.tif 000005
【図５】
0006045150.tif 000006
【図６】
0006045150.tif 000007
【図７】
0006045150.tif 000008
【図８】
0006045150.tif 000009
【図９】
0006045150.tif 000010
【図１０】
0006045150.tif 000011
【図１１】
0006045150.tif 000012
【図１２】
0006045150.tif 000013
【図１３】
0006045150.tif 000014